(57)【要約】【課題】管内又は槽内の液体又はガスの分子団をマイクロ化して燃焼洗浄効果を向上する。【解決手段】この装置はケースカバー１を備える。このカバー１は液体／ガス管路又は液体／ガス槽の外部に設けられる。このカバー１内に管路又は槽の外壁にある二個以上の電磁デバイス２を備える。電磁デバイス２は蹄鉄形のマグネタイザー２０及びその両側の二励磁コイル部２１からなる。そして、電源裝置３を備える。この電源装置３は電磁デバイス２の電気につながり、直流電源（ＤＣ）を交流電源（ＡＣ）にしたり、又は直接に交流電源（ＡＣ）を提供して、電磁デバイス２に交番磁場を生じさせる。【選択図】図１
0003139116.tif 000002
【実用新案登録請求の範囲】
【請求項１】
液体／ガス管路又は液体／ガス槽の外部に設けられるケースカバー１と、
前記ケースカバー１内で、前記液体／ガス管路又は液体／ガス槽の外壁に配置され、蹄鉄形マグネタイザー２０及びこのマグネタイザー２０の両側に設けられた二励磁コイル部２１からなる二個以上の電磁デバイス２と、
前記電磁デバイス２に電気的につながり、直流電源（ＤＣ）を交流電源（ＡＣ）にしたり、又は、直接に交流電源（ＡＣ）を提供して、前記電磁デバイス２に交番磁場を生じさせるための電源裝置３と、
からなることを特徴とする液体／ガス管路又は液体／ガス槽に用いられる磁化装置。
【請求項２】
前記ケースカバー１は、相互に対称の第一ケースカバー１０及び第二ケースカバー１１からなることを特徴とする請求項１に記載の液体／ガス管路又は液体／ガス槽に用いられる磁化装置。
【請求項３】
前記電源裝置３が発生する交流電源（ＡＣ）の周波は、５０ＨＺ、６０ＨＺの何れかの一つであることを特徴とする請求項１に記載の液体／ガス管路又は液体／ガス槽に用いられる磁化装置。
【請求項４】
前記電源裝置３の電圧範囲は、２０Ｖ〜２２０Ｖであることを特徴とする請求項１に記載の液体／ガス管路又は液体／ガス槽に用いられる磁化装置。
【請求項５】
前記液体／ガス管路又は液体／ガス槽は、水管、油管、冷煤管、ボイラー管路、デーゼルエンジン管路、洗濯槽、水槽の何れかの一つであることを特徴とする請求項１に記載の液体／ガス管路又は液体／ガス槽に用いられる磁化装置。
【考案の詳細な説明】
【技術分野】
【０００１】
本考案は液体／ガス管路又は液体／ガス槽に用いられる磁化装置に関する。
【背景技術】
【０００２】
図９に従来の磁化装置を示している。図９に示すように、従来の磁化装置９は、ケースカバー９０と、ケースカバー９０内の二マグネット９１とから構成され、これによって、管路４内の物質が磁化され、機能が向上するようになるところ、一般のマグネット９１では、磁気線が均一でない、強度が足りない、範囲が限られているなどの問題点がある。
【０００３】
そこで、上述の問題点を改善するため、業者により、次のような水を磁化させるための装置が提案された。この装置は特許文献１に開示されたもので、高周波電流源を持っており、高周波電流を生成して、コイルへ出力してから、コイル内で交番磁場を形成し、当該磁場を通る水を磁化させるようにすることを特徴としている。
【特許文献１】台湾特許公開Ｍ２４７５８６号「水を磁化させる装置」公開日２００７年０５月０１日
【考案の開示】
【考案が解決しようとする課題】
【０００４】
しかしながら、上記従来の装置では、次のような課題がある。
（１）従来、液体を磁化させる技術手段と目的は、水質の浄化に重点が置かれており、洗浄、除臭、清潔や燃焼の用途ではないため、この従来の残された問題点を改善する必要がある。
（２）上記従来の装置の場合、コイル内で発生された交番磁場は、密度が比較的低く、不安定で、磁場の変化が制御しにくいもので、通過する水をすべて磁化させることができないため、磁化効果が明確にならず、コイル磁場の方向が特定されにくく、使用範囲が限られ、その他の物品に簡単に干渉したり磁化したりしてしまう。
（３）高周波電流源の高周波電流は、周波に制限されて、使用範囲が限られ、広く使えない。また、エネルギー消費が大きく伸びて、エネルギーの浪費になる。
【０００５】
本考案は、上述の課題を解決するもので、この種の液体／ガス管路又は液体／ガス槽に用いられる磁化装置において、液体／ガス管路又は液体／ガス槽内の物質に対して、その分子団をマイクロ化し、燃焼効果又は洗浄効果を向上させることを目的とする。
【課題を解決するための手段】
【０００６】
上記目的を達成するために、本考案は、液体／ガス管路又は液体／ガス槽に用いられる磁化装置であり、液体／ガス管路又は液体／ガス槽の外部にあるケースカバー１が設けられる。前記ケースカバー１内において、液体／ガス管路又は液体／ガス槽の外壁にある二個以上の電磁デバイス２が設けられ、前記電磁デバイス２は、蹄鉄形マグネタイザー２０及びマグネタイザー２０の両側に設けられた二励磁コイル部２１からなるものである。そして、前記電磁デバイス２の電気につながり、直流電源（ＤＣ）を交流電源（ＡＣ）にしたり、又は、直接に交流電源（ＡＣ）を提供して、前記電磁デバイス２に交番磁場に生じさせるようにするための電源裝置３からなることを特徴とするものである。この場合、前記ケースカバー１は、相互に対称する第一ケースカバー１０及び第二ケースカバーからなる。前記電源裝置３が発生する交流電源（ＡＣ）の周波は、５０ＨＺ、６０ＨＺの何れかの一つである。前記電源裝置３の電圧範囲は２０Ｖ〜２２０Ｖである。前記ケースカバー１の液体／ガス管路又は液体／ガス槽は、水管、油管、冷煤管、ボイラー管路、デーゼルエンジン管路、洗濯槽、水槽の何れかの一つである。
【考案の効果】
【０００７】
本考案は上記の構成により、次のような作用効果を奏する。
（１）管内又は槽内の液体又はガスの分子団をマイクロ化して、燃焼効果又は洗浄効果を向上する。
（２）交番磁場を発生する電磁デバイス２は、蹄鉄形のマグネタイザー２０、及びマグネタイザー２０の両側に設けられた二励磁コイル部２１からなるもので、発生した磁場の範囲及びその方向は安定し、均一であり、そして、磁気線が強くて、磁化効果がよい。
（３）電源裝置３の電圧範囲と頻度は、世界に広く使われる一般的な電圧基準に適合し、広く使えるもので、仕様上の問題がなく、ユーザが便利に利用でき、丈夫に使えるから事故などの心配はない。
（４）様々な液体／ガス管路又は液体／ガス槽に適用し、広く使え、しかも取り付けや設置が簡単であり、干渉などの問題は容易に生じない。
【考案を実施するための最良の形態】
【０００８】
以下、本考案の一実施の形態について図を用いて詳しく説明する。図１乃至図３に液体／ガス管路又は液体／ガス槽に用いられる磁化装置を例示している。図１に示すように、この装置はケースカバー１を備える。ケースカバー１は液体／ガス管路又は液体／ガス槽の外部に配置される。このケースカバー１は相互に対称の第一ケースカバー１０及び第二ケースカバー１１からなり、基本的な設置構造なので、後述する電磁デバイス２に安定した支えを提供し、交番磁場の作用を完全に発揮させるものになっている。このケースカバー１内に、液体／ガス管路又は液体／ガス槽の外壁に配置される二個以上の電磁デバイス２を備える。電磁デバイス２は、蹄鉄形マグネタイザー２０及びこのマグネタイザー２０の両側に設けられた二励磁コイル部２１からなる。そして、電源装置３を備える。この電源装置３は、電磁デバイス２に電気的につながり、直流電源（ＤＣ）を交流電源（ＡＣ）にしたり、又は、直接に交流電源（ＡＣ）を提供して、電磁デバイス２に交番磁場を生じさせるものである。
【０００９】
交番磁場を発生する電磁デバイス２においては、その蹄鉄形のマグネタイザー２０及びその両側の励磁コイル部２１に発生した磁場の範囲及びその方向は安定し、均一であり、磁気線が強くて、分子団を切る効果に優れている。そして、様々な液体／ガス管路又は液体／ガス槽に適用して、広く使えるうえ、取り付けや設置が簡単であり、磁場の方向が固定され、磁気線が制御されるため、干渉などの問題は生じない。この場合、電磁デバイス２が発生する交流電源（ＡＣ）の周波は、５０ＨＺ、６０ＨＺの何れかの一つであり、世界に広く使われる一般的な電圧周波基準に適合し、便利に使えるもので、周波を変える必要がなく、エネルギー消費は減少される。また、電磁デバイス２の電圧範囲は２０Ｖ〜２２０Ｖであり、利用できる電圧範囲が広くて、世界に広く使われる一般的な電圧基準に適合し、広く使えるので、仕様上の問題がなく、安全に利用できる。
【００１０】
ケースカバー１の液体／ガス管路又は液体／ガス槽は、図４乃至図８に示すように、水管４、水槽５、洗濯槽６、油管、冷媒管、ボイラー８の管路８１、又はデーゼルエンジン管路（図示省略）の何れかの一つであり、その適用範囲は広くて、外付けや一体成形による設置で、全体の効果を向上させ、付加機能を上げることができ、便利に使える。水管４（図４参照）、水槽５（図５参照）、洗濯槽６（図６参照）に設けられた場合、匂いや汚れなどを除去する効果がある。そして、油管、冷媒管、ボイラー８のバルブ８０前にある管路８１（図７、８参照）に設けられた場合、全体の効果が上げられる。
【００１１】
図３に示すように、電磁デバイス２及び電源裝置３が提供される交流電流（ＡＣ）により、電磁デバイス２が交番磁場を発生するようになり、ベクトル５内の大分子団５０を、毎秒５０ＨＺ又は６０ＨＺで、Ｓ、Ｎ極性を持続的に変える電磁デバイス２により、素早く変化する磁気線の切断効果を生じさせて、大分子団５０の鎖結合を破壊し、小分子団５１を形成する。小分子団５１全体の構造は小さく、ナノの大きさまでも可能となり、様々な異なった物理や化学性質があり、一般状態のもとにある大分子団５０より、もっとよい効果を発揮する。
【００１２】
例えば、ベクトル５が水である場合、水は強い交番磁場を通ったとき、大分子団（Ｈ2Ｏ）ｎの水は磁場に二分子（Ｈ２Ｏ）２又は一分子Ｈ２Ｏに切られ、磁化後の水分子における水素原子の鎖は、１０４．５°から１０３°ほどの角度になり、原子間の磁場長の方向が変えられ、数値が増加し、流体性質も変えられるようになる。交番磁場の磁気能が水分子を活性化し、大きな水分子団が小分子に変えられ、水が磁化（小分子）活水となり、そして、その水分子団はマイクロ化され、一般の物質の分子より小さいもので、洗剤の代わりに使えるようになり、物品を洗浄して、界面活性剤のように匂いや汚れなどを取る効果があるが、洗剤が環境を汚すような心配はない。
【００１３】
ベクトル５がデーゼルである場合、デーゼルの分子がマイクロ化されて、エンジン室におけるガソリンの燃焼率が向上し、その中の水分子もマイクロ化されて、デーゼルの燃焼効果が１００％に近くなり、石油の値上がり、環境保護の意識が重んじられる今日において、省エネルギーで、廃棄ガスの生成量を減少できる。
【００１４】
ベクトル５が冷媒である場合、冷媒の分子がマイクロ化され、冷媒の冷凍循環効率が向上し、圧縮機の負担が低減され、省エネルギーになる。
【００１５】
ベクトル５がエアである場合、交番磁場がエアへ及ぼす影響により、エア分子がマイクロ化され、マイナス荷電の活性イオンが生成されるようになり、一般的に使われる高電圧によるマイナスイオン生成器を使わないため、大量のオゾン発生の問題がなく、安全性が向上する。
【００１６】
以上をまとめると、交流電流（ＡＣ）の利用により、電磁デバイス２が交番磁場を発生するようになり、ベクトル５に変化を生じさせ、物理や化学性質が変えられ、従来と異なった効果を発揮して、エネルギーの浪費や環境の破壊を減少することができる。
【００１７】
以上、本考案の構造、特徴、作用及び効果について、図面に示す好ましい実施の形態に基づいて詳しく説明してきたが、本考案はこの実施の形態に制限されるものではなく、本考案の要旨に一致する限り、変更や改造を加えたものとしても、すべて本考案の範囲内に属するものである。
【図面の簡単な説明】
【００１８】
【図１】本考案の一実施の形態における液体／ガス管路又は液体／ガス槽に用いられる磁化装置の斜視図
【図２】同装置の分解斜視図
【図３】同装置の断面図
【図４】同装置を水管に適用した場合の斜視図
【図５】同装置を水槽に適用した場合の斜視図
【図６】同装置を洗濯槽に適用した場合の斜視図
【図７】同装置を油管、冷媒管、ボイラーのバルブ前にある管路に適用した場合の斜視図
【図８】図７の装置を拡大して示す斜視図
【図９】従来の磁化装置の斜視図
【符号の説明】
【００１９】
１  ケースカバー
１０  第一ケースカバー
１１  第二ケースカバー
２  電磁デバイス
２０  マグネタイザー
２１  励磁コイル部
２２  電源ケーブル
２３  電源ケーブル
３  電源裝置
４  管路
５  ベクトル
５０  大分子団
５１  小分子団
６  水槽
７  洗濯槽
８  ボイラー
８０  バルブ
８１  管路
９  磁化装置
９０  ケースカバー
９１  マグネット
【図１】
0003139116.tif 000003
【図２】
0003139116.tif 000004
【図３】
0003139116.tif 000005
【図４】
0003139116.tif 000006
【図５】
0003139116.tif 000007
【図６】
0003139116.tif 000008
【図７】
0003139116.tif 000009
【図８】
0003139116.tif 000010
【図９】
0003139116.tif 000011